(57)【要約】【課題】  所望の音響空間を現出しながら不使用時に舞台部分にデッドスペースを出現させない。【解決手段】  客席Ｇ側となる舞台Ｓの前側の上方に垂下される天井反射板１と、舞台Ｓの奥側に垂下されて鉛直状態下に昇降すると共に下降時に舞台Ｓの奥側から客席Ｇ側に向けての任意の位置に立設可能とされる奥側構成体２とを有し、奥側構成体２が客席Ｇに対向する正面側の下半側を固定正面反射板部２１に設定すると共に、正面側の上半側を客席Ｇ側に対して起伏可能にする傾斜反射板部２２に設定し、かつ、この傾斜反射板部２２が上半側を舞台Ｓの床Ｓ２に向かって起伏可能にする天井反射板部２３に設定してなる。【選択図】        図１
2006314494.tif 000002
【特許請求の範囲】
【請求項１】
客席側となる舞台の前側の上方に垂下される天井反射板と、舞台の奥側に垂下されて鉛直状態下に昇降すると共に下降時に舞台の奥側から客席側に向けての任意の位置に立設可能とされる奥側構成体とを有し、奥側構成体が客席に対向する正面側の下半側を固定正面反射板部に設定すると共に、正面側の上半側を客席側に対して起伏可能にする傾斜反射板部に設定し、かつ、この傾斜反射板部が上半側を舞台の床に向かって起伏可能にする天井反射板部に設定してなることを特徴とする音響反射板装置
【請求項２】
奥側構成体が両側端に折り畳み構造下に形成された側面反射板を揺動可能に有してなり、あるいは、舞台の奥側の両端部で移動可能とされる側面反射板が奥側構成体に近隣されてなる請求項１に記載の音響反射板装置
【請求項３】
舞台の前側の上方から下降する天井反射板に近隣する側面反射板が舞台の間口壁に揺動可能に保持されてなり、あるいは、舞台の間口に近隣する舞台の両側部で移動可能とされてなる請求項１に記載の音響反射板装置
【請求項４】
舞台の前側の上方に両側端吊持構造下に昇降プロセニアムが垂下されると共に、この昇降プロセニアムの下降時に舞台の前側の上方にある天井反射板がこの昇降プロセニアムを交わして舞台の前側に下降されてなる請求項１に記載の音響反射板装置
【発明の詳細な説明】
【技術分野】
【０００１】
この発明は、音響反射板装置に関し、特に、劇場の舞台上などに設けられる可動型の音響反射板装置の改良に関する。
【背景技術】
【０００２】
近年の劇場やホールなどは、多目的に利用できるように、建物自体を大型化する傾向にあると共に、その舞台上などに設けられる可動型の音響反射板装置についても、これを大型化する傾向にあるが、その一方で、たとえば、特許文献１に開示されているように、この種の音響反射板装置で大きい音響空間を現出する場合と小さい音響空間を現出する場合とを選択できるとする提案がある。
【０００３】
すなわち、特許文献１に開示の音響反射板装置は、舞台の客席側となる前側に配在される前側構成体を専用的に利用するとき、小さい音響空間を現出でき、この前側構成体と舞台の奥側に配在される奥側構成体とを併用するとき、大きい音響空間を現出できるとしている。
【０００４】
ちなみに、この提案にあって、前側構成体は、舞台の間口壁に揺動可能に保持される側面反射板と、舞台の上方に昇降可能に吊持される天井反射板および正面反射板とを有してなり、奥側構成体は、リンク機構を介して舞台の奥壁に昇降可能に保持される正面反射板と、この正面反射板に起伏可能に保持される天井反射板および揺動可能に保持される側面反射板とを有してなる。
【特許文献１】特開平１１‐１４１０１２号公報（特許請求の範囲  請求項１，段落００１０，同００１５から同００１８，同００４９，同００５３，図２，図３）
【発明の開示】
【発明が解決しようとする課題】
【０００５】
しかしながら、上記した特許文献１に開示の音響反射板装置にあっては、強いて言うと、舞台の奥壁寄り部分にいわゆるデッドスペースを出現させると指摘される危惧がある。
【０００６】
すなわち、上記した提案における奥側構成体は、リンク機構を介して舞台の奥壁に保持される正面反射板が側面反射板と天井反射板とを有してなるが、その不使用時には、側面反射板はともかくとして、天井反射板が奥壁に沿う態勢の正面反射板に副うように、すなわち、天井反射板が正面反射板に言わば重ねられた状態にして収納されるとしている。
【０００７】
それゆえ、上記の奥側構成体は、その不使用時に、少なからず舞台の奥壁から客席側に向けて突出することになり、その分、この奥側構成体周りに、すなわち、たとえば、奥側構成体の下方となる舞台部分にデッドスペースを出現させることになる。
【０００８】
この発明は、前記した事情を鑑みて創案されたものであって、その目的とするところは、所望の音響空間を現出し得るのはもちろんであるが、不使用時に舞台部分にデッドスペースを出現させることがなく、その汎用性の向上を期待するのに最適となる音響反射板装置を提供することである。
【課題を解決するための手段】
【０００９】
上記した目的を達成するために、この発明による音響反射板装置の構成を、基本的には、客席側となる舞台の前側の上方に垂下される天井反射板と、舞台の奥側に垂下されて鉛直状態下に昇降すると共に下降時に舞台の奥側から客席側に向けての任意の位置に立設可能とされる奥側構成体とを有し、奥側構成体が客席に対向する正面側の下半側を固定正面反射板部に設定すると共に、正面側の上半側を客席側に対して起伏可能にする傾斜反射板部に設定し、かつ、この傾斜反射板部が上半側を舞台の床に向かって起伏可能にする天井反射板部に設定してなるとする。
【００１０】
そして、より具体的には、奥側構成体が両側端に折り畳み構造下に形成された側面反射板を揺動可能に有してなり、あるいは、舞台の奥側の両端部で移動可能とされる側面反射板が奥側構成体に近隣されてなるとする。
【００１１】
また、舞台の前側の上方から下降する天井反射板に近隣する側面反射板が舞台の間口壁に揺動可能に保持されてなり、あるいは、舞台の間口に近隣する舞台の両側部で移動可能とされてなるとする。
【００１２】
さらに、舞台の前側の上方に両側端吊持構造下に昇降プロセニアムが垂下されると共に、この昇降プロセニアムの下降時に舞台の前側の上方にある天井反射板がこの昇降プロセニアムを交わして舞台の前側に下降されてなるとする。
【発明の効果】
【００１３】
それゆえ、この発明にあっては、天井反射板および奥側構成体が舞台の上方に垂下されるから、不使用で収納されるときには舞台の上方に置かれて、舞台上にデッドスペースを出現させなくなる。
【００１４】
そして、天井反射板が下降される一方で、奥側構成体が下降されて舞台の前側近くに立設されるときは、奥側構成体が客席に対向する正面反射板になり、天井反射板と共に言わば最も小さい音響空間を現出させることになる。
【００１５】
また、天井反射板を下降させたままの状態に維持する一方で、舞台上の奥側構成体を舞台の略中央部分に後退させるようにして立設させるとき、傾斜反射板部を倒すことで、下半側からなる固定正面反射板部の上端に斜めになる正面反射板を出現させることが可能になり、天井反射板と共に言わば中程度の大きさの音響空間を現出し得ることになる。
そしてまた、天井反射板を下降させたままの状態に維持するのはもちろんであるが、舞台上の奥側構成体を舞台の奥側にさらに後退させるようにして立設させるとき、傾斜反射板部を倒すと共にこの傾斜反射板部における上半側を舞台に向かって倒すことで、この上半側を舞台の前側の天井反射板に連続する天井反射板にし得ることになり、このとき、最も大きくなる音響空間を現出し得ることになる。
その結果、この発明によれば、不使用時に舞台部分にデッドスペースを出現させない上に、大中小となる大きさの音響空間を現出し得ることになり、その汎用性の向上を期待し得ることになる。
【発明を実施するための最良の形態】
【００１６】
以下に、図示した実施形態に基づいて、この発明を説明するが、この発明による音響反射板装置は、図１に示すように、その不使用時に、図中で右側となる劇場における舞台Ｓの客席Ｇ側、すなわち、舞台Ｓの前側の上方に垂下される天井反射板１と、図中で左側となる舞台Ｓの奥側にあって舞台Ｓの奥壁Ｓ１に沿うように垂下される奥側構成体２とを有してなる。
【００１７】
このように、この発明にあっては、音響反射板装置の不使用時には、この音響反射板装置を構成する天井反射板１と奥側構成体２が舞台Ｓの上方に吊り上げられていることになるから、特に、奥側構成体２の下方となる舞台Ｓ上の有効利用を可能にする、すなわち、この音響反射板装置の周りにデッドスペースを出現させないことになる。
【００１８】
ところで、天井反射板１および奥側構成体２は、舞台Ｓの上方となる図示しない舞台天井に下方から近隣するように配在される支持フレームたる簀の子３に配在の同じく図示しないウインチなどからなる適宜の昇降手段に吊持されて昇降可能とされている。
【００１９】
それゆえ、この音響反射板装置にあっては、昇降手段に対する適宜の制御で天井反射板１および奥側構成体２を昇降し得ることになり、また、天井反射板１にあっては、鉛直状態から略水平状態への態勢変更およびその逆となる態勢変更がそれぞれ実現可能とされ、さらに、奥側構成体２にあっては、下降時に舞台Ｓの床Ｓ２上で奥側から客席Ｇ側に向けての任意の位置への立設が実現可能とされると共に後述する各部の起伏が実現可能とされることになる。
【００２０】
ちなみに、図示するところでは、客席Ｇの上方にある音響反射板仕様の客席天井Ｇ１と舞台Ｓの上方との間に出現するいわゆる空間（符示せず）を埋めるように昇降プロセニアム４が配在されてなるとし、この昇降プロセニアム４も上記の簀の子３に配在の図示しないウインチなどからなる昇降手段に吊持されて昇降可能とされている。
【００２１】
また、簀の子３は、図示しないが、いわゆるバトン装置を吊持するのが主たる任務であり、このとき、バトン装置は、多数のバトンを昇降可能に吊持していて、このバトンに保持された照明器具や音響器具を舞台Ｓの上方で昇降させるとしている。
【００２２】
そして、天井反射板１および奥側構成体２の構成については、所定の音響効果を発揮する限りにおいて任意の構成を採用でき、たとえば、図示しないが、軽量化を可能にするためにフレーム構造に形成された本体に音響効果を得易い薄鋼板やシートを展張するなどして形成される。
【００２３】
一方、天井反射板１は、その不使用時には、上記した簀の子３に下方から近隣する態勢に吊り上げられるが、このとき、この発明にあっては、天井反射板１が上記した昇降プロセニアム４の上方に位置決められるとしている。
【００２４】
そして、この天井反射板１は、その使用時には、所定位置に下降されるが、このとき、この発明では、上記の昇降プロセニアム４に干渉しないようにこれを交わすようにして下降されるとしている。
【００２５】
そのため、この発明にあって、まず、昇降プロセニアム４は、舞台Ｓの間口方向に沿う両端部で吊持されてなるとし、天井反射板１が昇降プロセニアム４の上方でこの昇降プロセニアム４に干渉することなくこの昇降プロセニアム４を横切る方向に移動し得るとしている。
【００２６】
つぎに、天井反射板１は、その使用時には、上記の昇降プロセニアム４を交わすようにして下降されるとし、そのため、天井反射板１を吊持する牽引部材１１が起伏運動をするアーム１２によって図中で左行する方向に移動される、すなわち、舞台Ｓの奥壁Ｓ１に向かって迫り出されるように移動されるとしている。
【００２７】
ちなみに、上記の天井反射板１は、牽引部材１１の一端への連結で吊持される一方で、別の牽引部材１３の中間部への連結によっても吊持されるとしており、特に、この牽引部材１３の緊張で天井反射板１が略水平状態になる使用状態におかれるとしている（実線図参照）。
【００２８】
なお、上記の天井反射板１は、その利用状況によっては、すなわち、かなり小さい音響空間を現出することが要請される場合に、図中に実線図で示されるいわゆる高い位置での使用に代えて、図中に仮想線図で示すいわゆる低い位置で使用されることがある。
【００２９】
奥側構成体２は、客席Ｇに対向する正面側の下半側を固定正面反射板部２１に設定すると共に、正面側の上半側を客席Ｇ側に対して起伏可能にする傾斜反射板部２２に設定し、かつ、この傾斜反射板部２２が上半側を舞台に向かって起伏可能にする天井反射板部２３に設定するとしている。
【００３０】
そして、この奥側構成体２は、前記した昇降プロセニアム４と同様の態勢に吊持される、すなわち、舞台Ｓの間口方向に沿う両端部で吊持されてなるとし、この奥側構成体２が舞台Ｓの床Ｓ２上を舞台Ｓの奥側から客席Ｇ側に向けての任意の位置に立設されるとき、前記したバトン装置への干渉を回避し得るように配慮している。
【００３１】
また、この奥側構成体２は、その上端に保持されるプーリー２４にＶ字状に巻装される複数本の牽引部材２５，２６によって吊持されてなるとし、それゆえ、言わば二組となる牽引部材２５，２６における緊張の優先如何によって、この奥側構成体２の舞台Ｓの床Ｓ２上での立設位置の選択が可能になる。
【００３２】
奥側構成体２が上記のように形成されることで、この音響反射板装置にあっては、前記した天井反射板１と共に、以下のようにして、所望の大きさとなる大中小の音響空間を現出し得ることになる。
【００３３】
すなわち、まず、天井反射板１が下降されて略水平状態におかれると共に、奥側構成体２が下降されて舞台Ｓの前側近くに立設されるときは、奥側構成体２が客席Ｇに対向する正面反射板になり、天井反射板１と共に言わば最も小さい音響空間を現出させることになる。
【００３４】
そして、天井反射板１を上記の略水平状態に維持する一方で、舞台Ｓの床Ｓ２上で奥側構成体２を舞台Ｓの略中央部分に後退させるようにして立設させると共に傾斜反射板部２２を倒すことで、下半側からなる固定正面反射板部２１の上端に斜めになる正面反射板を出現させることになり、天井反射板１と共に言わば中程度の大きさの音響空間を現出させることになる。
そしてまた、天井反射板１を上記の略水平状態に維持するのはもちろんであるが、舞台Ｓの床Ｓ２上で奥側構成体２を舞台Ｓの奥側にさらに後退させるようにして立設させる一方で、傾斜反射板部２２を倒すと共にこの傾斜反射板部２２における上半側たる天井反射板部２３を舞台Ｓの床Ｓ２に向かって倒すことで、この天井反射板部２３を舞台Ｓの前側の天井反射板１に連続する天井反射板にし得ることになり、このとき、最も大きくなる音響空間を現出させることになる。
以上のように、天井反射板１を位置決めると共に奥側構成体２を変体することで、大中小となる所望の大きさの音響空間を現出し得ることになるが、このとき、天井反射板１および奥側構成体２と共に側面反射板５および６，７を利用することで、実質的に大中小となる音響空間を現出し得ることになる。
【００３５】
そして、実質的に大中小となる音響空間を現出し得る限りには、この側面反射板５および６，７について自由な構成で形成できるが、その配在態様については、自由な構成を選択できる。
【００３６】
すなわち、天井反射板１と共に最も小さい音響空間を形成するときの側面反射板５については、たとえば、舞台Ｓの間口壁に揺動可能に保持されてなるとし、あるいは、舞台Ｓの間口に近隣する舞台Ｓの両側部たるいわゆる袖部などに移動可能に装備されるとしても良い。
【００３７】
また、中程度の音響空間を現出する場合および最も大きい音響空間を現出する場合の側面反射板６，７については、たとえば、奥側構成体２の両側端に折り畳み構造下に形成されて揺動可能に保持されてなるとし、あるいは、舞台Ｓの奥側の両端部たるいわゆる袖部などに移動可能に装備されるとしても良い。
【図面の簡単な説明】
【００３８】
【図１】この発明による音響反射板装置を不使用状態および使用状態で示す概略縦断面図である。
【符号の説明】
【００３９】
１  天井反射板
２  奥側構成体
４  昇降プロセニアム
５，６，７  側面反射板
２１  固定正面反射板部
２２  傾斜反射板部
２３  天井反射板部
Ｇ  客席
Ｓ  舞台
Ｓ２  床
【図１】
2006314494.tif 000003